(57)【要約】【課題】装置全体がコンパクトであり且つ十分な微細気泡混入水の供給が可能な微細気泡混入水の供給装置を提供すること。【解決手段】水道蛇口Ｊからの水道水がチューブＴ１を介して微細気泡発生装置Ｓに供給されると共に前記微細気泡発生装置Ｓの少なくとも気液混合出口６を、水道水が充填された貯水槽７内に漬けてあり、前記貯水槽７内の微細気泡を含んだ水道水を外部に排出供給できるようにした微細気泡混入水の供給装置において、水道水を供給するための上記チューブＴ１を微細気泡発生装置Ｓの手前で分岐し、この分岐チューブＴ２からの水道水を貯水槽７内に直接投入している。【選択図】図1
2010042380.tif 000002
【特許請求の範囲】
【請求項１】
水道蛇口からの水道水がチューブを介して微細気泡発生装置に供給されると共に前記微細気泡発生装置の少なくとも気液混合出口を、水道水が充填された貯水槽内に漬けてあり、前記貯水槽内の微細気泡を含んだ水道水を外部に排出供給できるようにした微細気泡混入水の供給装置であって、前記水道蛇口から水道水を供給するための上記チューブを、微細気泡発生装置の手前で分岐して水道水を貯水槽内に直接投入するか、又は前記水道蛇口とは別の水道蛇口からの水道水を直接貯水槽内に直接投入するようにしていることを特徴とする微細気泡混入水の供給装置。
【請求項２】
上記分岐チューブから貯水槽へ水道水が投入される位置は、貯水槽内における気液混合出口からできるだけ離れた位置であることを特徴とする請求項１記載の微細気泡混入水の供給装置。
【請求項３】
チューブと分岐チューブのうち、少なくとも分岐チューブに流量調整弁を設けてあることを特徴とする請求項１又は２記載の微細気泡混入水の供給装置。
【請求項４】
微細気泡発生装置の空気流入口に、枝管を有するメインチューブを接続し、貯水槽内の微細気泡を含んだ水道水をシャワー具又は蛇口から排出供給することを特徴とする請求項１乃至３のいずれかに記載の微細気泡混入水の供給装置。
【請求項５】
微細気泡発生装置の空気流入口に枝管を有するメインチューブを接続し、前記微細気泡発生装置内で発生する負圧により、枝管先端部側に設けられた薬品が空気流入口側に吸引されるようにしてあることを特徴とする請求項１乃至４のいずれかに記載の微細気泡混入水の供給装置。
【請求項６】
薬品は、グリセリン、アルコール、洗剤であることを特徴する請求項５記載の微細気泡混入水の供給装置。
【発明の詳細な説明】
【技術分野】
【０００１】
この発明は、微細気泡が混入された水を供給するための装置に関するものである。
【背景技術】
【０００２】
微細気泡を発生させる装置としては、例えば有底円筒形のスペーサを有する容器本体と、前記スペースの内壁円周面の一部にその接線方向に開設された加圧液体導入口と、前記円筒形のスペースの底壁に開設された気体導入孔と、前記スペースの先部に開設された旋回気液混合体導出口とを具えているものがある（例えば、特許文献１。）。
【０００３】
上記微細気泡発生装置によると、気体導入孔から容器本体内に導入された気体は、微細気泡（マイクロバブル：直径５０μｍ以下）として容器本体から放出される。
【０００４】
ところで、近年において、液体中に微細気泡を発生させて、病院などでの手洗い、厨房などの野菜洗浄、農業・漁業・工業分野などでの手洗いを始め、食品・物品などの洗浄まで、広範囲に利用できる微細気泡体の供給装置ができないかとの期待が高まっている。
【０００５】
しかしながら、上記微細気泡発生装置では、一個当たりの微細気泡混入水量はごく僅かなものであるから、シャワーや洗浄水として使用するような場合、複数個又は多数個の装置が必要となると共に大きな貯水槽が必要になってしまう。したがって、装置全体が大きくなってしまうことから、設置スペース等の問題が生じる。
【特許文献１】国際公開番号ＷＯ００／６９５５０公報
【発明の開示】
【発明が解決しようとする課題】
【０００６】
そこで、この発明では、装置全体がコンパクトであり且つ十分な微細気泡混入水の供給が可能な微細気泡混入水の供給装置を提供することを課題とする。
【課題を解決するための手段】
【０００７】
（請求項１記載の発明）
この請求項１記載の発明は、水道蛇口からの水道水がチューブを介して微細気泡発生装置に供給されると共に前記微細気泡発生装置の少なくとも気液混合出口を、水道水が充填された貯水槽内に漬けてあり、前記貯水槽内の微細気泡を含んだ水道水を外部に排出供給できるようにした微細気泡混入水の供給装置であって、前記水道蛇口から水道水を供給するための上記チューブを、微細気泡発生装置の手前で分岐して水道水を貯水槽内に直接投入するか、又は前記水道蛇口とは別の水道蛇口からの水道水を直接貯水槽内に直接投入するようにしている。
（請求項２記載の発明）
この請求項２記載の発明は、上記請求項１記載の発明に関し、上記分岐したチューブから貯水槽へ水道水が投入される位置は、貯水槽内における気液混合出口からできるだけ離れた位置である。
（請求項３記載の発明）
この請求項３記載の発明は、上記請求項１又は２記載の発明に関し、チューブと分岐チューブのうち、少なくとも分岐チューブに流量調整弁を設けてある。
（請求項４記載の発明）
この請求項４記載の発明は、上記請求項１乃至３のいずれかに記載の発明に関し、微細気泡発生装置の空気流入口に、枝管を有するメインチューブを接続し、貯水槽内の微細気泡を含んだ水道水をシャワー具又は蛇口から排出供給する。
（請求項５記載の発明）
この請求項５記載の発明は、上記請求項１乃至４のいずれかに記載の発明に関し、微細気泡発生装置の空気流入口に枝管を有するメインチューブを接続し、前記微細気泡発生装置内で発生する負圧により、枝管先端部側に設けられた薬品が空気流入口側に吸引されるようにしてある。
（請求項６記載の発明）
この請求項６記載の発明は、上記請求項５記載の発明に関し、薬品は、グリセリン、アルコール、洗剤である。
【発明の効果】
【０００８】
この発明の微細気泡混入水の供給装置によると、装置全体がコンパクトであり且つ十分な微細気泡混入水の供給が可能である。
【発明を実施するための最良の形態】
【０００９】
以下にこの発明の微細気泡混入水の発生装置を実施するための最良の形態として実施例について詳しく説明する。
【実施例１】
【００１０】
図１はこの発明の実施例１における微細気泡混入水の供給装置の部分断面図、図２は前記実施例１の微細気泡混入水の供給装置に使用されている微細気泡発生装置Ｓの拡大断面図。
（この微細気泡混入水の供給装置の構成について）
この微細気泡混入水の供給装置は、図１に示すように、水道蛇口Ｊからの水道水がチューブＴ１を介して微細気泡発生装置Ｓに供給されると共に前記微細気泡発生装置Ｓの少なくとも気液混合出口６を、水道水が充填された貯水槽７内に漬けてあり、前記貯水槽７内の微細気泡を含んだ水道水を外部に排出供給（シャワー具８や蛇口）できるようにすると共に水道水を供給するための上記チューブＴ１を微細気泡発生装置Ｓの手前で分岐し、この分岐チューブＴ２からの水道水を貯水槽７内に直接投入している。
【００１１】
なお、チューブＴ１中には流量調整弁ｂ１を、チューブＴ２中には流量調整弁ｂ２を、それぞれ投入してあり、チューブＴ３の先端部にはシャワー具８（又は蛇口）を設けてある。
（この微細気泡発生装置Ｓの構成について）
上記した微細気泡発生装置Ｓは、図２に示すように、第１構成体１と第２構成体２とを気密状態に相対回転可能として成るものであり、前記第１構成体１は主として、水道水導入路３とその中心部分に設けられた空気導入路４を有するものであり、前記第２構成体２は主として、液体導入路３からの液体を螺旋流に変化させながら空気導入路４の出口付近に至らしめる螺旋状液体導入路５と、螺旋流となった水道水と空気導入路４からの気体よりなる気液混合体を排出する気液混合導出口６とを有するものである。
【００１２】
なお、この微細気泡発生装置Ｓにおいては、図１や図２に示すように、水道水導入路３の始端部はチューブＴ１の接続・離反が容易なチューブ継手３０（所謂ワンタッチ継手）により形成してあり、気体導入路４の始端部は流量調整弁付きチューブ継手４０により形成してある。
【００１３】
この微細気泡発生装置Ｓを使用する際には、図１に示すように、少なくとも第2構成体２の気液混合導出口６を液体中に漬け、水道水導入路３に水道蛇口Ｊからの水道水を圧送する。
【００１４】
すると、チューブＴ１から入ってきた水道水は、チューブ継手３０→横Ｌ字状の水道水導入路３→螺旋状液体導入路５（このとき初めて螺旋流となり、その直後、負圧領域が形成され、この負圧により空気導入路４から導かれてきた空気と混合状態となる）→気液混合導出口６の経路で排出されることとなり、貯水槽７内の水道水中に大量の微細気泡が発生することになる。なお、この微細気泡の発生メカニズムは公知であるので詳述しない。
（この微細気泡混入水の供給装置の作用・効果について）
水道蛇口Ｊを開状態にしてチューブＴ１を介してチューブ継手３０から水道水を投入すると、流量調整弁付きチューブ継手４０から空気が吸引され、貯水槽７に設けられた気液混合導出口６から微細気泡が発生し、徐々に貯水槽７内に微細気泡が充満することになる。
【００１５】
ここで、この実施例の供給装置では、チューブＴ２から直接、水道水を貯水槽７へ送るルートを設けており、流量調整弁ｂ２の調整により、チューブ継手３０からの水道水の量と、チューブＴ２の水道水の量との比率を、調整できるようにしている。この構成による上記調整により、微細気泡発生装置Ｓからの微細気泡を潰す（消滅させる）ことなく貯水槽７への水道水の全体の量を多くできる。
【００１６】
したがって、装置全体がコンパクトであり且つ十分な微細気泡混入水の供給が可能な微細気泡混入水の供給装置が提供できることになる。
【００１７】
なお、チューブＴ２を付加することなく、多数の微細気泡発生装置を用いて又は大きな微細気泡発生装置を用いて、同様の供給装置を提供することも可能であるが、装置全体が大きくなる共にチューブのルート等が複雑に故に、設置位置等の問題が生じると考えられる。
（実際の微細気泡混入水の供給装置の実例について）
（１）水道水全体の供給量  ４．６リットル／分  
（２）チューブＴ１側／チューブＴ２側の水道水の比率  １：１
（３）微細気泡混入水の排出量  ４．６リットル／分
（４）貯水槽７の大きさ  直径１２０ｍｍ、高さ２００ｍｍ
上記条件によると、シャワー具８から十分な微細気泡混入水がでるようになる。
【００１８】
なお、上記分岐したチューブＴ２から貯水槽７へ水道水が投入される位置は、貯水槽７内における気液混合出口からできるだけ離れた位置であることが好ましい。微細気泡の消滅が生じないようにするためである。
【実施例２】
【００１９】
図３は前記実施例１の流量調整弁付きチューブ継手に、枝管を有するメインチューブを接続した状態を示す微細気泡混入水の供給装置の断面図。
【００２０】
この微細気泡混入水の供給装置は、図３に示すように、基本的構成は同じであるが、同図に示すように、微細気泡発生装置Ｓの空気流入口（具体的には流量調整弁付き継手４０、以下同じ）に、枝管（具体的にはＴ字管９２又は斜め管から直角方向に延びる管、以下同じ）を有するメインチューブＴ４を接続し、前記枝管付近で生じる負圧力により枝管先端部側に設けられた薬品９３が空気流入口（流量調整弁付き継手４０）側に吸引されるようにしてある。なお、符号９０、９１は絞り弁である。
【００２１】
上記構成によると、気液混合導出口６から微細気泡は、薬品を含んだものとなる。
【００２２】
なお、上記薬品としては、グリセリン、アルコール、洗剤等が採用できる。グリセリンを使用した場合、手等への保湿の如き効果があり、アルコールを使用した場合には微細気泡数の増加の如き効果があり、洗剤を使用した場合には定濃度洗浄液の提供ができる。
（その他について）
なお、上記実施例では、水道蛇口Ｊからの水道水がチューブＴ１を介して微細気泡発生装置Ｓに供給されると共に前記微細気泡発生装置Ｓの少なくとも気液混合出口を、水道水が充填された貯水槽７内に漬けてあり、前記貯水槽７内の微細気泡を含んだ水道水を外部に排出供給できるようにした微細気泡混入水の供給装置であって、前記水道蛇口Ｊから水道水を供給するための上記チューブＴ１を、微細気泡発生装置Ｓの手前で分岐して水道水を貯水槽７内に直接投入するようにしているが、これに限定されることなく、図４に示すように、前記水道蛇口Ｊとは別の水道蛇口Ｊ１からの水道水を直接貯水槽７内に直接投入するようにしてもよい。
【００２３】
また、上部からの入水により微細気泡が消滅しないようにするため、図５に示すように、貯水槽７内において、邪魔板７０のようなものを設けておくようにしてもよい。
【図面の簡単な説明】
【００２４】
【図１】この発明の実施例１における微細気泡混入水の供給装置の部分断面図。
【図２】前記実施例１の微細気泡混入水の供給装置に使用されている微細気泡発生装置の拡大断面図。
【図３】この発明の実施例２であり、前記実施例１の流量調整弁付きチューブ継手に、枝管を有するメインチューブを接続した状態を示す微細気泡混入水の供給装置の断面図。
【図４】他の実施例であり、分岐チューブからの水道水を貯水槽内に投入するのではなく、他の蛇口から水道水を貯水槽内に投入している微細気泡混入水の供給装置の断面図。
【図５】他の実施例であり、貯水槽内に邪魔板を設けてある微細気泡混入水の供給装置の断面図。
【符号の説明】
【００２５】
Ｓ     微細気泡発生装置
Ｊ     水道蛇口
Ｔ１   チューブ  
Ｔ２   チューブ  
Ｔ３   チューブ
Ｔ４   チューブ
ｂ１   流量調整弁  
ｂ２   流量調整弁
１     第１構成体 
２     第２構成体
３     水道水導入路
３０   チューブ継手
４     空気導入路
４０   流量調整弁付チューブ
５     螺旋状液体導入路
６     気液混合導出口
７     貯水槽
７０   邪魔板  
８     シャワー部
【図１】
2010042380.tif 000003
【図２】
2010042380.tif 000004
【図３】
2010042380.tif 000005
【図４】
2010042380.tif 000006
【図５】
2010042380.tif 000007